(57)【要約】【課題】効率よく結露の発生を抑制するとともに、コードヒータの取り付け作業性に優れた冷却貯蔵庫を提供する。【解決手段】冷凍冷蔵庫１０は、開口部４５を有する断熱箱体４０の内側に、冷凍室２０Ａが形成された貯蔵庫本体１１と、右壁面２５Ａに向けて吹き出される構成とされる第１冷却ユニット３０Ａと、開口部４５の周縁における第１配置部４６Ａに配置された第１コードヒータ６０Ａと、左壁面２１Ａに対して右壁面２５Ａとは反対側に配された電力供給部１９と、を備えて構成され、第１コードヒータ６０Ａは、シート状の保持部７１によって屈曲した形状に保持されるとともに、第１配置部４６Ａにおける右壁面側配置部４７Ａに配設された高密度パターン部７０Ａと、線長が右壁面側配置部４７Ａから第１配置部４６Ａの延在方向における他端部４６Ａｂまでの長さとされ、冷凍室２０Ａの周囲に沿って線状に配索された線状配索部６３Ａと、を備えて構成されている。【選択図】図５
2017122542.tif 000002
【特許請求の範囲】
【請求項１】
開口部を有する断熱箱体の内側に、貯蔵空間が形成された貯蔵庫本体と、
冷却ファンと冷却器とを備え、前記冷却ファンの駆動に伴い、前記冷却器で生成された冷気が、前記貯蔵空間内において側壁面に開口する吹出口から前記側壁面と対向する対向壁面に向けて吹き出される構成とされる冷却ユニットと、
前記開口部の周縁において前記貯蔵空間の周囲に沿って延在する配置部に配置された結露防止用のコードヒータと、
前記側壁面に対して前記対向壁面とは反対側に配され、前記コードヒータに対して電力を供給する電力供給部と、を備えた冷却貯蔵庫であって、
前記コードヒータは、
シート状の保持部によって屈曲した形状に保持されることで、前記保持部のシート面内において密に配されてなり、前記配置部における前記対向壁面側の部分である対向壁面側配置部に配設された高密度パターン部と、
線長が前記配置部における前記対向壁面側配置部から前記配置部の延在方向における端部までの長さとされ、前記貯蔵空間の周囲に沿って線状に配索された線状配索部と、を備えて構成されていることを特徴とする冷却貯蔵庫。
【請求項２】
前記貯蔵庫本体は、前記開口部の周縁が枠状をなす枠状部で構成され、
前記コードヒータには、前記高密度パターン部の前記線状配索部側とは反対側に接続されるとともに、前記電力供給部と電気的に接続される接続配線が設けられ、
前記枠状部には、前記配置部における前記対向壁面側配置部に隣接して、表裏方向に貫通する形で、前記接続配線を引き出すための引出口が設けられ、
前記高密度パターン部が前記枠状部の裏面において、前記対向壁面側配置部に配設されるとともに、前記接続配線が前記引出口から表側に引き出されていることを特徴とする請求項１に記載の冷却貯蔵庫。
【請求項３】
前記貯蔵庫本体は、前記貯蔵空間である第１貯蔵空間に対して前記電力供給部側とは反対側に位置するとともに、前記第１貯蔵空間とは貯蔵温度が異なる第２貯蔵空間を更に有し、
前記開口部の周縁は、前記配置部であって、前記コードヒータである第１コードヒータが配置される第１配置部と、前記第２貯蔵空間の周囲に沿って延在するとともに、前記第１コードヒータとは別体のコードヒータである第２コードヒータが配置される第２配置部と、に区画され、
前記第２コードヒータは、前記電力供給部に電気的に接続される第２コードヒータ側接続配線を備えて構成され、
前記引出口は、前記第１配置部と前記第２配置部との境界に設けられ、
前記接続配線及び前記第２コードヒータ側接続配線の双方が、前記引出口から表側に引き出されていることを特徴とする請求項２に記載の冷却貯蔵庫。
【請求項４】
前記保持部は、両面に粘着面を有する粘着シートと、前記粘着シートの一方の前記粘着面に貼着された金属箔とからなり、前記粘着シートと前記金属箔との間に前記コードヒータを保持する構成とされ、
前記高密度パターン部は、前記粘着シートの他方の前記粘着面が、前記配置部における前記対向壁面側配置部に対して貼り付けられていることを特徴とする請求項１から請求項３のいずれか１項に記載の冷却貯蔵庫。
【請求項５】
前記貯蔵庫本体は、前記開口部の周縁が枠状をなす枠状部で構成され、
前記枠状部には、外周端部及び内周端部から裏側に向けてそれぞれ立ち上がる一対の立ち上がり部が設けられ、
前記保持部は、前記一対の立ち上がり部の間に嵌まり込む形で、前記枠状部の裏面に取り付けられていることを特徴とする請求項１から請求項４のいずれか１項に記載の冷却貯蔵庫。
【請求項６】
前記貯蔵庫本体は、前記開口部の周縁が矩形枠状をなす枠状部で構成されるとともに、前記枠状部の角部に当該開口部を開閉可能に塞ぐ断熱扉がブラケットを介して取り付けられ、
前記保持部は、その一端部が前記ブラケットの側面に当接する態様で前記枠状部に取り付けられていることを特徴とする請求項１から請求項５のいずれか１項に記載の冷却貯蔵庫。
【発明の詳細な説明】
【技術分野】
【０００１】
本発明は、冷却貯蔵庫に関する。
【背景技術】
【０００２】
従来、結露防止用のヒーターを備えた冷凍冷蔵庫として、下記特許文献１に記載のものが知られている。特許文献１に開示の構成では、冷凍室の出入口側では、支柱を除く開口周縁壁に沿ってヒーターを配置するとともに、冷蔵室の出入口側では、支柱を除く開口周縁壁に沿ってヒーターを配置することが記載されている。
【先行技術文献】
【特許文献】
【０００３】
【特許文献１】特開平１１−２４８３３２号公報
【発明の概要】
【発明が解決しようとする課題】
【０００４】
ところで、本願発明者が解析した結果、冷却貯蔵庫内の冷気の対流状況に応じて、開口部の周縁において、局所的に結露が生じ易い部位が生じていることがわかった。
【０００５】
特許文献１に開示の構成では、そのような結露が生じ易い部位に対応して、ヒーター（コードヒータ）の温度を設定すれば、それ以外の部位について不要な温度上昇を招来する、という問題がある。一方、そのような問題を回避するために、コードヒータの取り付け作業の過程で、結露が生じやすい部位に、それ以外の部位よりコードヒータを密に配置しようとすれば、コードヒータを取り付ける作業の作業性が損なわれる。
【０００６】
本発明は上記のような事情に基づいて完成されたものであって、効率よく結露の発生を抑制するとともに、コードヒータの取り付け作業性に優れた冷却貯蔵庫を提供することを目的とする。
【課題を解決するための手段】
【０００７】
本発明の冷却貯蔵庫は、開口部を有する断熱箱体の内側に、貯蔵空間が形成された貯蔵庫本体と、冷却ファンと冷却器とを備え、前記冷却ファンの駆動に伴い、前記冷却器で生成された冷気が、前記貯蔵空間内において側壁面に開口する吹出口から前記側壁面と対向する対向壁面に向けて吹き出される構成とされる冷却ユニットと、前記開口部の周縁において前記貯蔵空間の周囲に沿って延在する配置部に配置された結露防止用のコードヒータと、前記側壁面に対して前記対向壁面とは反対側に配され、前記コードヒータに対して電力を供給する電力供給部と、を備えた冷却貯蔵庫であって、前記コードヒータは、シート状の保持部によって屈曲した形状に保持されることで、前記保持部のシート面内において密に配されてなり、前記配置部における前記対向壁面側の部分である対向壁面側配置部に配設された高密度パターン部と、線長が前記配置部における前記対向壁面側配置部から前記配置部の延在方向における端部までの長さとされ、前記貯蔵空間の周囲に沿って線状に配索された線状配索部と、を備えて構成されていることに特徴を有する。
【０００８】
本発明によれば、コードヒータが高密度パターン部と線状配索部を備えるから、冷却ユニットからの冷気の吹き出しに伴って、局所的に結露を生じやすい配置部における対向壁面側配置部を高密度パターン部により加熱するとともに、その他の部分を線状配索部で加熱することができる。この結果、開口部の周縁において局所的に結露を生じやすい部分の結露を抑制するとともに、その他の部分における不要な温度上昇を抑制することができ、効率よく結露の発生を抑制することができる。
【０００９】
さらに、仮に、コードヒータが高密度パターン部を備えておらず、単に長尺状に構成されている場合において、電力供給部から遠い側に位置する対向壁面側配置部に、コードヒータを手作業により屈曲させつつ配設しようとすれば、当該屈曲パターンの前後におけるコードヒータの長さ調節が難しく、電力供給部に至るまでのコードヒータの配索経路に対してコードヒータの長さが不足することが懸念される。さらに、そのようなパターンを形成する作業は、手間が掛かるとともに、作業毎に配設密度・範囲にばらつきを生じやすく、品質確保が難しい。一方、本発明によれば、コードヒータが高密度パターン部と線状配索部とを備えて構成されているから、例えば、高密度パターン部を対向壁面側配置部に配設し、その後、線状配索部を配索する場合であっても、線状配索部が配索経路に対して不足することがない。さらに、高密度パターン部は、保持部によって屈曲した形状に保持されているから、コードヒータを開口部の周縁に配設する際に、手間のかかる作業が必要とされず、また、そのような作業に起因して、冷却貯蔵庫の品質が損なわれることがない。この結果、コードヒータを簡易な作業で開口部の周縁に取り付けることができ、取り付け作業性に優れる。
【００１０】
上記構成において、前記貯蔵庫本体は、前記開口部の周縁が枠状をなす枠状部で構成され、前記コードヒータには、前記高密度パターン部の前記線状配索部側とは反対側に接続されるとともに、前記電力供給部と電気的に接続される接続配線が設けられ、前記枠状部には、前記配置部における前記対向壁面側配置部に隣接して、表裏方向に貫通する形で、前記接続配線を引き出すための引出口が設けられ、前記高密度パターン部が前記枠状部の裏面において、前記対向壁面側配置部に配設されるとともに、前記接続配線が前記引出口から表側に引き出されていてもよい。
【００１１】
このような構成によれば、コードヒータの取り付け作業を行う作業者が、上半身を断熱箱体の内側に入れて、枠状部の裏側において接続配線を高密度パターン部と電力供給部の間を全長に亘って配索するような作業を低減することができ、例えば、コードヒータの取り付け開始位置を電力供給部から遠い側である配置部における対向壁面側配置部とした場合であっても、枠状部の裏側において接続配線を高密度パターン部に近接する引出口まで配索しさえすればよい。さらに、このような構成によれば、コードヒータにおいて、高密度パターン部と接続配線との間に、貯蔵空間の周囲に沿って線状に配索された部分が介在しない構成とすることができ、高密度パターン部を配設するのに先立って、高密度パターン部と接続配線の間の部分の長さを調節しつつ配索する必要がない。これらの結果、コードヒータの取り付け作業性に優れる。
【００１２】
上記構成において、前記貯蔵庫本体は、前記貯蔵空間である第１貯蔵空間に対して前記電力供給部側とは反対側に位置するとともに、前記第１貯蔵空間とは貯蔵温度が異なる第２貯蔵空間を更に有し、前記開口部の周縁は、前記配置部であって、前記コードヒータである第１コードヒータが配置される第１配置部と、前記第２貯蔵空間の周囲に沿って延在するとともに、前記第１コードヒータとは別体のコードヒータである第２コードヒータが配置される第２配置部と、に区画され、前記第２コードヒータは、前記電力供給部に電気的に接続される第２コードヒータ側接続配線を備えて構成され、前記引出口は、前記第１配置部と前記第２配置部との境界に設けられ、前記接続配線及び前記第２コードヒータ側接続配線の双方が、前記引出口から表側に引き出されていてもよい。
【００１３】
貯蔵温度が異なる２つの貯蔵空間を有する場合、それぞれの貯蔵空間に対応して、コードヒータをそれぞれ設け、その加熱状態をそれぞれ制御することが好ましい。一方、第１コードヒータ及び第２コードヒータを第１配置部及び第２配置部にそれぞれ配する場合には、第１コードヒータを環状（一筆書き状）に配することができず、仮に、引出口を有しない構成によれば、枠状部の裏面において、第１コードヒータにおける接続配線を電力供給部側に引き回す形で配索する必要があり、第１コードヒータの取り付け作業性が悪い。また、第２コードヒータについては、仮に、引出口を有しない構成によれば、枠状部の裏面において、第２コードヒータ側接続配線を、第１配置部を横断する形で電力供給部側まで配索する必要があり、第２コードヒータの取り付け作業性が悪い。
一方、上記構成によれば、引出口から接続配線及び第２コードヒータ側接続配線を引き出すことで、第１コードヒータ及び第２コードヒータの取り付け作業を行う作業者が、例えば、上半身を断熱箱体の内側に入れて、枠状部の裏側において接続配線及び第２コードヒータ側接続配線をそれぞれ電力供給部側まで配索するような作業を低減することができ、コードヒータの取り付け作業性に優れる。
【００１４】
上記構成において、前記保持部は、両面に粘着面を有する粘着シートと、前記粘着シートの一方の前記粘着面に貼着された金属箔とからなり、前記粘着シートと前記金属箔との間に前記コードヒータを保持する構成とされ、前記高密度パターン部は、前記粘着シートの他方の前記粘着面が、前記配置部における前記対向壁面側配置部に対して貼り付けられていてもよい。
【００１５】
このような構成によれば、高密度パターン部をその形状を保持する保持部によって貼り付けることでき、コードヒータの取り付け作業性に優れる。また、保持部を熱伝導性に優れた金属箔からなる構成としたから、高密度パターン部により保持部のシート面全体を温めることができ、配置部における対向壁面側配置部の結露の発生を、好適に抑制することができる。
【００１６】
上記構成において、前記貯蔵庫本体は、前記開口部の周縁が枠状をなす枠状部で構成され、前記枠状部には、外周端部及び内周端部から裏側に向けてそれぞれ立ち上がる一対の立ち上がり部が設けられ、前記保持部は、前記一対の立ち上がり部の間に嵌まり込む形で、前記枠状部の裏面に取り付けられていてもよい。
【００１７】
このような構成によれば、立ち上がり部を基準として保持部の位置合わせをすることができ、コードヒータの取り付け作業がし難い枠状部の裏側において、容易に高密度パターン部を取り付けることができる。
【００１８】
上記構成において、前記貯蔵庫本体は、前記開口部の周縁が矩形枠状をなす枠状部で構成されるとともに、前記枠状部の角部に当該開口部を開閉可能に塞ぐ断熱扉がブラケットを介して取り付けられ、前記保持部は、その一端部が前記ブラケットの側面に当接する態様で前記枠状部に取り付けられていてもよい。
【００１９】
このような構成によれば、ブラケットを基準として保持部の位置合わせをすることができ、コードヒータの取り付け作業がし難い枠状部の裏側において、容易に高密度パターン部を取り付けることができる。
【発明の効果】
【００２０】
本発明によれば、効率よく結露の発生を抑制するとともに、コードヒータの取り付け作業性に優れた冷却貯蔵庫を提供することができる。
【図面の簡単な説明】
【００２１】
【図１】本発明の実施形態１に係る冷凍冷蔵庫の正面図
【図２】冷凍冷蔵庫の庫内を冷却する冷却ユニットの構成を模式的に表した説明図
【図３】貯蔵庫本体の斜視図（一部を切り欠いて示す）
【図４】図３のＩＶ−ＩＶ線断面図
【図５】枠状部を裏側から視た平面図
【図６】図５のＶＩ−ＶＩ線断面図
【図７】図５のＶＩＩ−ＶＩＩ線断面図
【図８】断熱箱体の外箱の上方かつ後方から視た斜視図
【図９】第１コードヒータの平面図
【図１０】実施形態２に係る枠状部を裏側から視た平面図
【発明を実施するための形態】
【００２２】
＜実施形態１＞
本発明の実施形態１を図１ないし図９によって説明する。本実施形態では横型冷凍冷蔵庫（冷却貯蔵庫）１０について例示する。以下の説明では、冷凍冷蔵庫１０を前方からみた図１を基準として、図１の紙面左側を左側、紙面右側を右側として説明する。
【００２３】
まず、図１及び図２により、貯蔵庫本体１１を主体として構成された冷凍冷蔵庫１０の全体構造を説明する。貯蔵庫本体１１は、前方に向けて開口した開口部４５を有する横長の断熱箱体４０からなり、下面の四隅に設けられた脚１１ａによって支持されている。貯蔵庫本体１１は、断熱箱体４０に取り付けられた断熱性の仕切壁１２によって内側が左右に仕切られている。そして、貯蔵庫本体１１の内側には、前面から視て左側に第１貯蔵空間に相当する冷凍室２０Ａ（貯蔵空間の一例）が、右側に第２貯蔵空間に相当する冷蔵室２０Ｂ（貯蔵空間の一例）がそれぞれ形成されている。冷凍室２０Ａ及び冷蔵室２０Ｂの前方には、開口部４５をそれぞれ塞ぐ揺動式の断熱扉１３，１３が開閉可能に装着されている。
【００２４】
貯蔵庫本体１１の左側には、前面に開口した箱形の機械室１５が設けられている。機械室１５内の上部には、断熱箱体４０の一部が冷凍室２０Ａの側方（前面から視て左側）に張り出す形で、冷凍室２０Ａと連通した第１冷却器室３４Ａが形成されている。この第１冷却器室３４Ａには第１冷却ユニット（冷却ユニットの一例）３０Ａが装備されている。なお、機械室１５における第１冷却器室３４Ａの下方には、圧縮機１６、凝縮器１７等が収納されている。貯蔵庫本体１１の中央部には、仕切壁１２の内部に、冷蔵室２０Ｂと連通した第２冷却器室３４Ｂが形成されている。この第２冷却器室３４Ｂには第２冷却ユニット（冷却ユニットの一例）３０Ｂが装備されている。
【００２５】
続いて、断熱箱体４０の各部の構成について説明する。断熱箱体４０は、図２及び図３に示すように、ステンレス鋼板等の金属板製の外箱４１内に、同じくステンレス鋼板等の金属板製の内箱４２を嵌めて、その間に発泡樹脂等の断熱材４３が充填された構造である。断熱箱体４０は、開口部４５が、冷凍室２０Ａ及び冷蔵室２０Ｂへの被貯蔵物の出し入れ口として機能する。このため開口部４５の周縁は、外部との温度交換が行われ易い部位となっている。
【００２６】
開口部４５の周縁は、図１及び図３に示すように、冷凍室２０Ａの周囲に沿って延在するとともに、後述する第１コードヒータ６０Ａが配置される第１配置部（配置部の一例）４６Ａと、冷蔵室２０Ｂの周囲に沿って延在するとともに、後述する第２コードヒータ６０Ｂが配置される第２配置部（配置部の一例）４６Ｂと、に区画されている。本実施形態では、開口部４５の周縁のうち、左半分が第１配置部４６Ａとされ、右半分が第２配置部４６Ｂとされている。第１配置部４６Ａは、前面視にて右側に開放するコの字状をなす形で延在しており、延在方向における上側の端部を一端部４６Ａａと呼び、下側の端部を他端部４６Ａｂと呼ぶ。また、第２配置部４６Ｂは、前面視にて左側に開放するコの字状をなす形で延在しており、延在方向における上側の端部を一端部４６Ｂａと呼び、下側の端部を他端部４６Ｂｂと呼ぶ。
【００２７】
開口部４５の周縁は、図３に示すように、矩形枠状をなす枠状部５０で構成されている。具体的には、枠状部５０は、断熱箱体４０の前面視にて、上側に位置する上枠部５１と、下側に位置する下枠部５２と、右側に位置する右枠部５３と、左側に位置する左枠部５４と、を互いに組み付けることで枠状に形成されている。
【００２８】
上枠部５１は、図３及び図４に示すように、その長手方向における左半分が第１配置部４６Ａを構成するとともに、右半分が第２配置部４６Ｂを構成している。そして、上枠部５１には、その中央部、つまり、第１配置部４６Ａにおける後述する右壁面側配置部４７Ａに隣接して、表裏方向に貫通する形で、後述する第１コードヒータ６０Ａの一端側接続配線６４Ａ及び第２コードヒータの一端側接続配線６４Ｂを引き出すための引出口５６が設けられている。さらに、この引出口５６は、第１配置部４６Ａと第２配置部４６Ｂの境界、つまり、第１配置部４６Ａの一端部４６Ａａ及び第２配置部４６Ｂの一端部４６Ｂａ付近に設けられている。また、上枠部５１の左端に隣接する左枠部５４の上部には、後述する第１コードヒータ６０Ａの他端側接続配線６５Ａ及び第２コードヒータの他端側接続配線６５Ｂを引き出すための左側引出口５７が設けられている。
【００２９】
右枠部５３は、図８及び図７に示すように、断熱箱体４０を構成する外箱４１のサイドパネル４１ａに一体的に設けられている。右枠部５３は、サイドパネル４１ａにおける、断熱箱体４０の側面を構成する側面部５３ａから内方に約９０度の角度をなして折れ曲がるようにして形成されている。そして、右枠部５３の側面部５３ａとは反対側の端部には、さらに裏側に向けて折れ曲がるようにして、内箱４２と連結される連結部５３ｂが形成されている。つまり、右枠部５３には、外周端部及び内周端部から裏側に向けてそれぞれ立ち上がる一対の立ち上がり部である側面部５３ａと連結部５３ｂが設けられている。以下の説明では、一対の立ち上がり部に側面部５３ａ及び連結部５３ｂと同じ符号を付してこれを説明する。
【００３０】
枠状部５０の角部５９には、図５に示すように、当該開口部４５を開閉可能に塞ぐ断熱扉１３，１３がブラケット４８を介して取り付けられている。ブラケット４８は、金属板材からなり、枠状部５０の裏側に配され、ネジによって枠状部５０の表側に配されたヒンジ部１４と締結されている（図１参照）。そして、断熱扉１３，１３が、ヒンジ部１４によって観音開き式に開閉可能に装着されている。この断熱扉１３，１３は、裏側の周縁部にマグネットパッキン（不図示）が装着され、閉扉時に、マグネットパッキンが枠状部５０の表面５０ａに吸着して開口部４５を密閉するようになっている。
【００３１】
次に、冷凍室２０Ａ及び第１冷却ユニット３０Ａに係る構成について、図２を用いて説明する。第１冷却器室３４Ａと冷凍室２０Ａとの間には、第１冷却器室３４Ａを覆う形で、板状のカバー板部３５Ａが設けられている。カバー板部３５Ａは、断熱箱体４０の内箱４２とともに、冷凍室２０Ａ内において左側に位置する左壁面２１Ａ（側壁面の一例）を構成している。左壁面２１Ａには、その上部に開口して、第１冷却ユニット３０Ａからの冷気が吹き出される吹出口２２Ａと、その中央部に開口して、冷凍室２０Ａの庫内の空気を第１冷却器室３４Ａに吸引する吸引口２３Ａと、が形成されている。
【００３２】
第１冷却ユニット３０Ａは、冷凍室２０Ａ内に冷気を図２の矢印の方向に沿って循環供給する構成とされている。この第１冷却ユニット３０Ａは、冷却器３１Ａと冷却ファン３２Ａとを組み付けてユニット化したものである。冷却ファン３２Ａは、冷凍室２０Ａ内に向けて空気を吹き出し可能な構成とされ、吹出口２２Ａの奥方に配置されている。冷却器３１Ａは、熱交換によって冷気を生成可能な構成とされ、冷却ファン３２Ａの奥方から吸引口２３Ａ付近まで延びる外形をなす。
【００３３】
第１冷却ユニット３０Ａは、冷却ファン３２Ａの駆動に伴い、冷却器３１Ａで生成された冷気が、左壁面２１Ａに開口する吹出口２２Ａから左壁面２１Ａと対向する右壁面（対向壁面の一例）２５Ａに向けて吹き出される構成とされる。詳細には、冷却器３１Ａで生成された冷気は、左壁面２１Ａにおける、冷凍室２０Ａの左上角部付近から、右壁面２５Ａにおける、冷凍室２０Ａの右上角部付近に向けて吹き出される。そして、吹き出された冷気は、右壁面２５Ａに当たってその流向が変化し、庫内を循環して、吸引口２３Ａに吸引される。右壁面２５Ａに当たった冷気のうち一部は、流向が開口部４５側（前側）に向けて変化して、右壁面２５Ａに沿って開口部４５まで流れる。このような冷気の流れに起因して、開口部４５の周縁における右壁面２５Ａ側の部分は、開口部４５の周縁における他の部分より温度が低下し易くなっている。本実施形態では、右壁面２５Ａに当たった冷気が右壁面２５Ａにおける右上角部に沿って、開口部４５側に流れ易くなっており、第１配置部４６Ａにおける右壁面側配置部４７Ａの温度が特に低下し易くなっている。
【００３４】
次に、冷蔵室２０Ｂ及び第２冷却ユニット３０Ｂに係る構成について、図２を用いて説明する。第２冷却器室３４Ｂと冷蔵室２０Ｂとの間には、第２冷却器室３４Ｂを覆う形で、板状のカバー板部３５Ｂが設けられている。カバー板部３５Ｂは、断熱箱体４０に取り付けられた仕切壁１２とともに、冷蔵室２０Ｂ内において左側に位置する左壁面（側壁面の一例）２１Ｂの一部を構成している。左壁面２１Ｂには、その上部に開口して、第２冷却ユニット３０Ｂからの冷気が吹き出される吹出口２２Ｂと、その下部に開口して、冷蔵室２０Ｂの庫内の空気を第２冷却器室３４Ｂに吸引する吸引口２３Ｂと、が形成されている。冷蔵室２０Ｂの貯蔵温度は、冷凍室２０Ａより高く設定されているものの、第２冷却ユニット３０Ｂにおいて、冷蔵室２０Ｂ内に冷気を循環供給する構成は、第１冷却ユニット３０Ａと同様とされており、その説明を省略する。なお、冷凍室２０Ａ及び第１冷却ユニット３０Ａの各部の構成については符号にＡを付して示すとともに、これと対応する冷蔵室２０Ｂ及び第２冷却ユニット３０Ｂの各部の構成については符号にＢを付して示すものとする。
【００３５】
ところで、開口部４５の周縁を構成する枠状部５０は、庫内の冷気で冷却された状態において、外気温度との差によって結露しやすい部位である。そして、冷却温度によっては、結露した水によって断熱扉１３，１３のパッキン等が凍り付いて扉開閉の支障となる虞もある。本願発明者が冷却ユニット３０Ａ，３０Ｂにおける冷気の循環状態を解析した結果、冷凍冷蔵庫１０において、冷凍室２０Ａの右上角部周辺に位置する第１配置部４６Ａにおける右壁面２５Ａ側の部分（右壁面側配置部４７Ａと呼ぶ。対向壁面側配置部の一例）と、冷蔵室２０Ｂの右上角部周辺に位置する第２配置部４６Ｂにおける右壁面２５Ｂ側の部分（右壁面側配置部４７Ｂと呼ぶ。対向壁面側配置部の一例）が、特に冷気によって冷却され易く、結露を生じやすい部分となっていることがわかった。具体的には、本実施形態では、開口部４５の周縁において、冷凍室２０Ａの上側に位置する部分のうち右側１／３程度の部分が第１配置部４６Ａにおける右壁面側配置部４７Ａとされ、冷蔵室２０Ｂの上側に位置する部分のうち右側１／３程度の部分と右側に位置する部分のうち上側１／３程度の部分が第２配置部４６Ｂにおける右壁面側配置部４７Ｂとされる。そこで、本願発明者は、そのような結露の発生を効率よく抑制するために、冷凍冷蔵庫１０において、開口部４５の周縁における配置部４６Ａ，４６Ｂに結露防止用のコードヒータ６０Ａ，６０Ｂを配置するものを新たに開発した。
【００３６】
コードヒータ６０Ａ，６０Ｂは、図３に示すように、機械室１５内、つまり、冷凍室２０Ａ及び冷蔵室２０Ｂの左側（左壁面２１Ａ，２１Ｂに対して右壁面２５Ａ，２５Ｂとは反対側）に配された電力供給部１９からそれぞれ電力が供給されることで、発熱する構成となっている。言い換えれば、電力供給部１９は、それぞれ冷凍室２０Ａ，２０Ｂの周囲において右壁面側配置部４７Ａ，４７Ｂから遠い側に配されている。具体的には、電力供給部１９は、第１冷却器室３４Ａに隣接して設置された電装箱内に配されている。なお、図３においては、説明の便宜のために、電力供給部１９を機械室１５の外方において模式的に示している。
【００３７】
第１コードヒータ（コードヒータの一例）６０Ａは、図５に示すように、冷凍室２０Ａに対応して、第１配置部４６Ａに配置されている。第２コードヒータ（コードヒータの一例）６０Ｂは、第１コードヒータ６０Ａとは別体のコードヒータであって、冷蔵室２０Ｂに対応して、第２配置部４６Ｂに配置されている。つまり、冷凍冷蔵庫１０は、開口部４５の周縁の略全域が第１コードヒータ６０Ａ又は第２コードヒータ６０Ｂのいずれかによって加熱される構成となっている。第１コードヒータ６０Ａと第２コードヒータ６０Ｂは、それぞれ独立して通電及び非通電の状態を変更可能とされ、その加熱温度をそれぞれ制御可能となっている。
【００３８】
第１コードヒータ６０Ａは、図５及び図９に示すように、高密度パターン部７０Ａと、高密度パターン部７０Ａから延設された線状配索部６３Ａと、高密度パターン部７０Ａの線状配索部６３Ａとは反対側に接続されるとともに、電力供給部１９と電気的に接続される一端側接続配線（接続配線の一例）６４Ａと、線状配索部６３Ａの高密度パターン部７０Ａとは反対側に接続されるとともに、電力供給部１９と電気的に接続される他端側接続配線６５Ａと、を備えて構成されている。第１コードヒータ６０Ａは、高密度パターン部７０Ａ及び線状配索部６３Ａがヒータ線６６からなり、ヒータ線６６の両端に接続部６７，６７を介して接続された一端側接続配線６４Ａと他端側接続配線６５Ａがリード線６８からなる。
【００３９】
高密度パターン部７０Ａは、図９に示すように、シート状の保持部７１によってヒータ線６６が屈曲した形状に保持されることで、保持部７１のシート面内においてヒータ線６６が密に配されてなる。具体的には、高密度パターン部７０Ａは、ヒータ線６６がＳ字状に屈曲されて、長方形の保持部７１の長さ方向に沿って延びる姿勢の３本のヒータ線６６が保持部７１の幅方向に近接して並列する態様となっている。高密度パターン部７０Ａは、ヒータ線６６の形状やその配設範囲を適宜設計することで、所望の温度及び加熱領域を実現可能となっている。
【００４０】
保持部７１は、図４及び図９に示すように、両面に粘着面７２ａ，７２ｂを有する粘着シート７２と、粘着シート７２の一方の粘着面７２ａに貼着されたアルミ箔等である金属箔７４とからなり、粘着シート７２と金属箔７４との間にヒータ線６６を保持する構成とされている。保持部７１は、粘着シート７２が平坦状をなす一方、金属箔７４が粘着シート７２の一方の粘着面７２ａとヒータ線６６の外形に倣う形状をなし、粘着シート７２の他方の粘着面７２ｂが全面に亘って枠状部５０の裏面５０ｂに密着可能な構成とされている。保持部７１は、枠状部５０の長さ方向に沿って延びる長方形状をなし、その幅方向が枠状部５０の幅寸法と同等か、それより小さい寸法とされている。特に、第２コードヒータ６０Ｂにおいて、後述する右側高密度パターン部７０Ｂｒを保持する保持部７１は、その幅寸法が右枠部５３の幅寸法と略同等とされ、一対の立ち上がり部５３ａ，５３ｂの間にクリアランスを有して嵌まり込む寸法とされている。
【００４１】
線状配索部６３Ａは、図５に示すように、ヒータ線６６の線長が第１配置部４６Ａにおける右壁面側配置部４７Ａから第１配置部４６Ａの延在方向における他端部４６Ａｂまでの長さとされている。言い換えれば、線状配索部６３Ａは、ヒータ線６６の線長が開口部４５の周縁において、冷凍室２０Ａの右上角部周辺を起点として、冷凍室２０Ａの周囲を前面視にて反時計回りに回って、冷凍室２０Ａの右下角部に至るまでの長さとされてなる。具体的には、線状配索部６３Ａの長さは、上枠部５１における右壁面側配置部４７Ａから左側の部分の長さと、左枠部５４の全長と、下枠部５２における左側半分の長さとを、合算した長さと略一致している。
【００４２】
第２コードヒータ６０Ｂは、図５に示すように、上枠部５１に配設される上側高密度パターン部（高密度パターン部の一例）７０Ｂｕと、上側高密度パターン部７０Ｂｕから延設された上側線状配索部（線状配索部の一例）６３Ｂｕと、上側線状配索部６３Ｂｕの上側高密度パターン部７０Ｂｕとは反対側に接続されるとともに、電力供給部１９と電気的に接続される一端側接続配線（第２コードヒータ側接続配線の一例）６４Ｂと、右枠部５３に配設される右側高密度パターン部（高密度パターン部の一例）７０Ｂｒと、右側高密度パターン部７０Ｂｒから延設された右側線状配索部（線状配索部の一例）６３Ｂｒと、右側線状配索部６３Ｂｒの右側高密度パターン部７０Ｂｒとは反対側に接続されるとともに、電力供給部１９と電気的に接続される他端側接続配線６５Ｂと、を備えて構成されている。第２コードヒータ６０Ｂは、２つの高密度パターン部７０Ｂｕ，７０Ｂｒ及び２つの線状配索部６３Ｂｕ，６３Ｂｒがヒータ線６６からなり、ヒータ線６６の両端に接続部６７，６７を介して接続された一端側接続配線６４Ｂと他端側接続配線６５Ｂがリード線６８からなる。
【００４３】
上側高密度パターン部７０Ｂｕ及び右側高密度パターン部７０Ｂｒは、図５に示すように、ヒータ線６６の線長及びその形状が上記した高密度パターン部７０Ａと異なるものの、その他の構成は上記した高密度パターン部７０Ａと同様とされており、その説明を省略する。
【００４４】
上側線状配索部６３Ｂｕは、図５に示すように、ヒータ線６６の線長が第２配置部４６Ｂにおける右壁面側配置部４７Ｂから第２配置部４６Ｂの一端部４６Ｂａまでの長さとされている。また、右側線状配索部６３Ｂｒは、ヒータ線６６の線長が右壁面側配置部４７Ｂから第２配置部４６Ｂの他端部４６Ｂｂまでの長さとされている。つまり、上側線状配索部６３Ｂｕの長さは、上枠部５１における右壁面側配置部４７Ｂから中央部までの部分の長さと略一致し、右側線状配索部６３Ｂｒの長さは、右枠部５３における右壁面側配置部４７Ｂから下側の部分の長さと、下枠部５２における右側半部の長さとを、合算した長さと略一致している。上側線状配索部６３Ｂｕ及び右側線状配索部６３Ｂｒは、その他の構成は上記した線状配索部６３Ａと同様とされており、その説明を省略する。
【００４５】
続いて、コードヒータ６０Ａ，６０Ｂを開口部４５の周縁に取り付ける態様について説明する。
第１コードヒータ６０Ａを取り付ける場合には、作業者は、図８に示す断熱箱体４０の外箱４１の前面から内側に上半身を入れるような姿勢で、一端側接続配線６４Ａを引出口５６から引き出すとともに、高密度パターン部７０Ａを、上枠部５１の裏面５０ｂにおいて、第１配置部４６Ａにおける右壁面側配置部４７Ａに貼り付ける。高密度パターン部７０Ａの貼り付けは、保持部７１の他の粘着面７２ｂを露出して、これを所定の位置に押圧するだけで行うことができ、作業者は、無理な姿勢で、ヒータ線６６を屈曲しつつ別部材のテープ等で貼り付ける等の煩雑な作業を行う必要がない。この高密度パターン部７０Ａは、保持部７１を右壁面側配置部４７Ａの位置に合わせて貼り付けることで、後述する適正位置において必要な熱量を発生することが可能な構成とされている。引き出された一端側接続配線６４Ａは上枠部５１の表側において電力供給部１９と電気的に接続される。この接続作業は、後述する線状配索部６３Ａを配索する作業の後に、第２コードヒータ６０Ｂの一端側接続配線６４Ｂを電力供給部１９に接続する作業と同時に行ってもよい。なお、本実施形態では、電力供給部１９と一端側接続配線６４Ａ，６４Ｂとの間には、電力供給部１９にコネクタ接続された別のリード線１９ａ，１９ａが介在しており、一端側接続配線６４Ａ，６４Ｂと別のリード線１９ａ，１９ａとは引出口５６付近で結束されている。
【００４６】
その後、作業者は、引き続き断熱箱体の外箱４１の前面から内側に上半身を入れるような姿勢で、線状配索部６３Ａを、右壁面側配置部４７Ａから冷凍室２０Ａの周囲に沿って配索する。この際、線状配索部６３Ａは、高密度パターン部７０Ａが右壁面側配置部４７Ａに配設されることで、その延設基端部が位置決めされているから、作業者は、線状配索部６３Ａの配索開始位置を気にすることなく、線状配索部６３Ａを所定の配索経路に沿って配索すればよい。この線状配索部６３Ａの延設基端部の位置は、高密度パターン部７０Ａの形状及び位置から自ずと定まるものであって、本実施形態によれば、高密度パターン部７０Ａを右壁面側配置部４７Ａに配設することで、第１配置部４６Ａの延在方向における位置と、枠状部５０の枠幅方向における位置の双方について位置決めすることができる。ところで、本願発明者は、効率よく結露の発生を抑制するために、第１コードヒータ６０Ａを枠状部５０の枠幅方向において、適正位置（本実施形態では、枠状部の内周端部から２ｃｍ程度外側に後退した位置）に配索することが好ましいことを見出した。これは、第１コードヒータ６０Ａを適正位置より内側に配索すると、冷凍室２０Ａの冷却効率に悪影響を与え、また、第１コードヒータ６０Ａを適正位置より外側に配索すると、結露の発生を抑制する効果が低減するためである。本実施形態では、高密度パターン部７０Ａを右壁面側配置部４７Ａに配設することで、線状配索部６３Ａの延設基端部の位置を適正位置とすることができ、次述のようにして配索された線状配索部６３Ａにより最小限の熱量により効率よく結露の発生を抑制することが可能となっている。具体的には、作業者は、その延設基端部の位置が定まった線状配索部６３Ａを前面視にて反時計回りに引き回しつつ、アルミ箔テープ（不図示）で枠状部５０の裏面５０ｂに固定しながら、冷凍室２０Ａの右下角部まで適正位置に配索する。すると、線状配索部６３Ａの長さが、予め右壁面側配置部４７Ａを起点とした冷凍室２０Ａの周囲の長さとされているから、線状配索部６３Ａの延設先端部（他端側接続配線６５Ａとの接続部６７）は、自ずと第１配置部４６Ａの他端部４６Ａｂに位置することとなる。そして、他端側接続配線６５Ａを、例えば、第２コードヒータの他端側接続配線６５Ｂとともに、枠状部５０の裏面５０ｂにおいて、前面視にて時計回りに引き回して、左側引出口５７から枠状部５０の表側に引き出して、これらを電力供給部１９のリード線１９ａ，１９ａと接続する。以上により、第１コードヒータ６０Ａの取り付けが完了する。
【００４７】
第２コードヒータ６０Ｂを取り付ける場合には、作業者は、上述したような姿勢で、一端側接続配線６４Ｂを引出口５６から引き出すとともに、上側線状配索部６３Ｂｕを、上枠部５１の裏面５０ｂにおいて、第２配置部４６Ｂの一端部４６Ｂａから右側に向けて配索する。そして、上側高密度パターン部７０Ｂｕ及び右側高密度パターン部７０Ｂｒを、枠状部５０の裏面５０ｂにおいて、第２配置部４６Ｂにおける右壁面側配置部４７Ｂに貼り付ける。この際、図６に示すように、上側高密度パターン部７０Ｂｕを、保持部７１の右端部７１ｒがブラケット４８の側面４８ｂに当接する態様で上枠部５１の裏面５０ｂに取り付ける。さらに、右側高密度パターン部７０Ｂｒを、保持部７１が、一対の立ち上がり部５３ａ，５３ｂの間に嵌まり込むとともに、その上端部７１ｕがブラケット４８の側面４８ｂに当接する態様で右枠部５３の裏面５０ｂに取り付ける。つまり、上側高密度パターン部７０Ｂｕ及び右側高密度パターン部７０Ｂｒは、冷蔵室２０Ｂの右上角部周辺において、Ｌ字状に互いに直交する姿勢で隣接して取り付けられる。続いて、作業者は、右側線状配索部６３Ｂｒを右壁面側配置部４７Ｂから前面視にて時計回りに引き回し、第２配置部４６Ｂの他端部４６Ｂｂまで配索する。本実施形態では、右側高密度パターン部７０Ｂｒは、一対の立ち上がり部５３ａ，５３ｂによって枠状部５０の枠幅方向について精度よく位置決めされており、右側線状配索部６３Ｂｒの延設基端部の位置を、より一層好適に、上述した適正位置とすることが可能となっている。以上により、線状配索部６３Ｂｕ，６３Ｂｒが、第２配置部４６Ｂにおける右壁面側配置部４７Ｂから冷蔵室２０Ｂの周囲に沿って配索された状態となる。なお、その他の第２コードヒータ６０Ｂの各部の取り付け態様は、第１コードヒータ６０Ａの各部の取り付け態様と同様であり、その説明を省略する。以上により、第２コードヒータ６０Ｂの取り付けが完了する。
【００４８】
続いて、本実施形態の効果について説明する。
本実施形態によれば、第１コードヒータ６０Ａが高密度パターン部７０Ａと線状配索部６３Ａを備えるから、第１冷却ユニット３０Ａからの冷気の吹き出しに伴って、局所的に結露を生じやすい第１配置部４６Ａにおける右壁面側配置部４７Ａを高密度パターン部７０Ａにより加熱するとともに、その他の部分を線状配索部６３Ａで加熱することができる。また、第２コードヒータ６０Ｂが高密度パターン部７０Ｂｕ，７０Ｂｒと線状配索部６３ｕ，６３ｒを備えるから、第２冷却ユニット３０Ｂからの冷気の吹き出しに伴って、局所的に結露を生じやすい第２配置部４６Ｂにおける右壁面側配置部４７Ｂを高密度パターン部７０Ｂｕ，７０Ｂｒにより加熱するとともに、その他の部分を線状配索部６３ｕ，６３ｒで加熱することができる。この結果、コードヒータ６０Ａ，６０Ｂにより、開口部４５の周縁において局所的に結露を生じやすい部分の結露を抑制するとともに、その他の部分における不要な温度上昇を抑制することができ、効率よく結露の発生を抑制することができる。
【００４９】
さらに、仮に、コードヒータ６０Ａ，６０Ｂが高密度パターン部を備えておらず、単に長尺状に構成されている場合において、電力供給部１９から遠い側に位置する第１配置部４６Ａにおける右壁面側配置部４７Ａ或いは第２配置部４６Ｂにおける右壁面側配置部４７Ｂに、コードヒータを手作業により屈曲させつつ配設しようとすれば、当該屈曲パターンの前後におけるコードヒータの長さ調節が難しく、電力供給部１９に至るまでのコードヒータの配索経路に対してコードヒータの長さが不足することが懸念される。さらに、そのようなパターンを形成する作業は、手間が掛かるとともに、作業毎に配設密度・範囲にばらつきを生じやすく、品質確保が難しい。一方、本実施形態によれば、コードヒータ６０Ａ，６０Ｂが高密度パターン部７０Ａ，７０Ｂｕ，７０Ｂｒと線状配索部６３Ａ，６３Ｂｕ，６３Ｂｒとをそれぞれ備えて構成されているから、高密度パターン部７０Ａ，７０Ｂｕ，７０Ｂｒを開口部４５の周縁における右壁面側配置部４７Ａ，４７Ｂに配設し、その後、線状配索部６３Ａ，６３Ｂｒを配索する場合であっても、線状配索部６３Ａ，６３Ｂｒが配索経路に対して不足することがない。さらに、各高密度パターン部７０Ａ，７０Ｂｕ，７０Ｂｒは、保持部７１によって屈曲した形状にそれぞれ保持されているから、コードヒータ６０Ａ，６０Ｂを開口部４５の周縁に配設する際に、手間のかかる作業が必要とされず、また、そのような作業に起因して、冷凍冷蔵庫１０の品質が損なわれることがない。この結果、コードヒータ６０Ａ，６０Ｂを簡易な作業で開口部４５の周縁に取り付けることができ、取り付け作業性に優れる。
【００５０】
また、本実施形態では、高密度パターン部７０Ａが枠状部５０の裏面５０ｂにおいて、右壁面側配置部４７Ａに配設されるとともに、一端側接続配線６４Ａが引出口５６から表側に引き出されている。このため、第１コードヒータ６０Ａの取り付け作業を行う作業者が、上半身を断熱箱体４０の内側に入れて、枠状部５０の裏側において一端側接続配線６４Ａを高密度パターン部７０Ａと電力供給部１９の間を全長に亘って配索するような作業を低減することができ、第１コードヒータ６０Ａの取り付け開始位置を電力供給部１９から遠い側である第１配置部４６Ａにおける右壁面側配置部４７Ａとした場合であっても、枠状部５０の裏面５０ｂ側において一端側接続配線６４Ａを高密度パターン部７０Ａに近接する引出口５６まで配索しさえすればよい。さらに、本実施形態では、第１コードヒータ６０Ａにおいて、高密度パターン部７０Ａと一端側接続配線６４Ａとの間に、貯蔵空間の周囲に沿って線状に配索された部分が介在しないから、高密度パターン部７０Ａを配設するのに先立って、高密度パターン部７０Ａと一端側接続配線６４Ａの間の部分の長さを調節しつつ配索する必要がない。これらの結果、第１コードヒータ６０Ａの取り付け作業性に優れる。
【００５１】
ところで、冷凍室２０Ａと冷蔵室２０Ｂを有する場合、それぞれの貯蔵空間に対応して、コードヒータをそれぞれ設け、その加熱状態をそれぞれ制御することが好ましい。一方、第１コードヒータ６０Ａ及び第２コードヒータ６０Ｂを第１配置部４６Ａ及び第２配置部４６Ｂにそれぞれ配する場合には、第１コードヒータ６０Ａを環状（一筆書き状）に配することができず、仮に、引出口５６を有しない構成によれば、枠状部５０の裏面５０ｂにおいて、第１コードヒータ６０Ａにおける一端側接続配線６４Ａを電力供給部１９側に引き回す形で配索する必要があり、第１コードヒータ６０Ａの取り付け作業性が悪い。また、第２コードヒータ６０Ｂについては、仮に、引出口５６を有しない構成によれば、枠状部５０の裏面５０ｂにおいて、一端側接続配線６４Ｂを、第１配置部４６Ａを横断する形で電力供給部１９側まで配索する必要があり、第２コードヒータ６０Ｂの取り付け作業性が悪い。
一方、本実施形態によれば、引出口５６から一端側接続配線６４Ａ，６４Ｂを引き出すことで、第１コードヒータ６０Ａ及び第２コードヒータ６０Ｂの取り付け作業を行う作業者が、上半身を断熱箱体４０の内側に入れて、枠状部５０の裏側において一端側接続配線６４Ａ，６４Ｂをそれぞれ電力供給部１９側まで配索するような作業を低減することができ、コードヒータ６０Ａ，６０Ｂの取り付け作業性に優れる。
【００５２】
また、本実施形態では、高密度パターン部７０Ａ，７０Ｂｕ，７０Ｂｒをその形状を保持する保持部７１によって貼り付けることでき、コードヒータ６０Ａ，６０Ｂの取り付け作業性に優れる。また、保持部７１を熱伝導性に優れた金属箔７４からなる構成としたから、高密度パターン部７０Ａ，７０Ｂｕ，７０Ｂｒにより保持部７１のシート面全体を温めることができ、第１配置部４６Ａにおける右壁面側配置部４７Ａ及び第２配置部４６Ｂにおける右壁面側配置部４７Ｂの結露の発生を、好適に抑制することができる。
【００５３】
また、本実施形態では、立ち上がり部５３ａ，５３ｂを基準として右側高密度パターン部７０Ｂｒの保持部７１の位置合わせをすることができ、第２コードヒータ６０Ｂの取り付け作業がし難い枠状部５０の裏側において、容易に右側高密度パターン部７０Ｂｒを取り付けることができる。
【００５４】
また、本実施形態では、ブラケット４８を基準として右側高密度パターン部７０Ｂｒの保持部７１及び上側高密度パターン部７０Ｂｕの保持部７１の位置合わせをすることができ、第２コードヒータ６０Ｂの取り付け作業がし難い枠状部５０の裏側において、容易に右側高密度パターン部７０Ｂｒと上側高密度パターン部７０Ｂｕを取り付けることができる。
【００５５】
＜実施形態２＞
次いで、本発明の実施形態２を、図１０を参照しつつ説明する。本実施形態では、単一のコードヒータ１６０を備えた横型冷蔵庫（冷却貯蔵庫）１１０について例示する。なお、上記した実施形態と同様の構造、作用及び効果について重複する説明は省略する。
【００５６】
貯蔵庫本体１１は、断熱箱体４０の内側が仕切られておらず、貯蔵空間に相当する一の冷蔵室２０Ｂが形成されている。開口部４５の周縁は、略全域が冷蔵室２０Ｂの周囲に沿って延在するとともに、コードヒータ１６０が配置される配置部１４６とされている。配置部１４６は、枠状部５０の左上に位置する角部５９付近に両端が位置するＣ字状をなす形で延在しており、配置部１４６における上側に位置する端部を一端部１４６ａと呼び、下側に位置する端部を他端部１４６ｂと呼ぶ。本実施形態では、冷却ユニット３０Ｂの構成に起因して、冷蔵室２０Ｂの右上角部周辺に位置する配置部１４６の右壁面２５Ｂ側の部分（右壁面側配置部１４７と呼ぶ）が特に結露を生じやすい部分となっている。
【００５７】
コードヒータ１６０は、上枠部５１に配設される上側高密度パターン部１７０ｕと、上側高密度パターン部１７０ｕから延設された上側線状配索部１６３ｕと、上側線状配索部１６３ｕに連なるとともに、電力供給部１９と接続される一端側接続配線１６４と、右枠部５３に配設される右側高密度パターン部１７０ｒと、右側高密度パターン部１７０ｒから延設された右側線状配索部１６３ｒと、右側線状配索部１６３ｒに連なるとともに、電力供給部１９と接続される他端側接続配線１６５と、を備えて構成されている。コードヒータ１６０は、２つの高密度パターン部１７０ｕ，１７０ｒ及び２つの線状配索部１６３ｕ，１６３ｒがヒータ線６６からなり、ヒータ線６６の両端に接続部（不図示）を介して接続された一端側接続配線１６４と他端側接続配線１６５がリード線６８からなる。
【００５８】
上側高密度パターン部１７０ｕ及び右側高密度パターン部１７０ｒは、実施形態１の第２コードヒータ６０Ｂの上側高密度パターン部７０Ｂｕ及び右側高密度パターン部７０Ｂｒと同様の構成とされている。また、上側線状配索部１６３ｕは、ヒータ線６６の線長が配置部１４６における右壁面側配置部１４７から配置部１４６の延在方向における一端部１４６ａまでの長さ、つまり、上枠部５１における右壁面側配置部１４７から左側の部分の長さとされている。右側線状配索部１６３ｒは、ヒータ線６６の線長が配置部１４６における右壁面側配置部１４７から配置部１４６の延在方向における他端部１４６ｂまでの長さ、つまり、右枠部５３における右壁面側配置部１４７から下側の部分の長さと、下枠部５２の全長と、左枠部５４の全長とを、合算した長さとされている。
【００５９】
コードヒータ１６０の取り付け態様は、一端側接続配線１６４と他端側接続配線１６５の双方を左側引出口５７から引き出す点が異なるものの、実施形態１の第２コードヒータ６０Ｂの取り付け態様と同様とされており、その説明を省略する。
【００６０】
本実施形態によれば、コードヒータ１６０が高密度パターン部１７０ｕ，１７０ｒと線状配索部１６３ｕ，１６３ｒを備えるから、冷却ユニット３０Ｂからの冷気の吹き出しに伴って、局所的に結露を生じやすい配置部１４６における右壁面側配置部１４７を高密度パターン部１７０ｕ，１７０ｒにより加熱するとともに、その他の部分を線状配索部１６３ｕ，１６３ｒで加熱することができる。この結果、コードヒータ１６０により、開口部４５の周縁において局所的に結露を生じやすい部分の結露を抑制するとともに、その他の部分における不要な温度上昇を抑制することができ、効率よく結露の発生を抑制することができる。
【００６１】
さらに、仮に、コードヒータ１６０が高密度パターン部を備えておらず、単に長尺状に構成されている場合において、電力供給部１９から遠い側に位置する配置部１４６における右壁面側配置部１４７に、コードヒータを手作業により屈曲させつつ配設しようとすれば、当該屈曲パターンの前後におけるコードヒータの長さ調節が難しく、電力供給部に至るまでのコードヒータの配索経路に対してコードヒータの長さが不足することが懸念される。さらに、そのようなパターンを形成する作業は、手間が掛かるとともに、作業毎に配設密度・範囲にばらつきを生じやすく、品質確保が難しい。一方、本実施形態によれば、コードヒータ１６０が高密度パターン部１７０ｕ，１７０ｒと線状配索部１６３ｕ，１６３ｒとを備えて構成されているから、高密度パターン部１７０ｕ，１７０ｒを開口部４５の周縁における右壁面側配置部１４７に配設し、その後、右側線状配索部１６３ｒを配索する場合であっても、右側線状配索部１６３ｒが配索経路に対して不足することがない。さらに、各高密度パターン部１７０ｕ，１７０ｒは、保持部７１によって屈曲した形状にそれぞれ保持されているから、コードヒータ１６０を開口部４５の周縁に配設する際に、手間のかかる作業が必要とされず、また、そのような作業に起因して、冷蔵庫１１０の品質が損なわれることがない。この結果、コードヒータ１６０を簡易な作業で開口部４５の周縁に取り付けることができ、取り付け作業性に優れる。
【００６２】
＜他の実施形態＞
本発明は上記記述及び図面によって説明した実施形態に限定されるものではなく、例えば次のような実施形態も本発明の技術的範囲に含まれる。
【００６３】
（１）上記各実施形態以外にも、断熱箱体の内側に形成された貯蔵空間の数は適宜変更可能である。また、貯蔵空間の数に応じて、配置部における対向壁面側配置部の位置は、適宜設定され得る。
【００６４】
（２）上記各実施形態以外にも、断熱箱体の内側に形成された貯蔵空間の配設態様は適宜変更可能である。例えば、冷却貯蔵庫は、開口部が上下に仕切られた縦型冷凍冷蔵庫や、開口部が上下左右に仕切られ、複数のドロワを備えた引き出し式冷蔵庫であってもよい。また、貯蔵空間の配設態様に応じて、配置部における対向壁面側配置部の位置は、適宜設定され得る。
【００６５】
（３）上記各実施形態以外にも、冷却ユニットの構成や側壁面における吹出口の位置は、適宜変更可能である、また、冷却ユニットの構成や側壁面における吹出口に応じて、配置部における対向壁面側配置部の位置は、各貯蔵空間の右上角部周辺に限られず適宜設定され得る。
【００６６】
（４）上記各実施形態以外にも、高密度パターン部の形状、配設数は、本発明の目的を損なわない限り、適宜変更可能である。
【００６７】
（５）上記各実施形態以外にも、線状配索部の長さ、配設数は、本発明の目的を損なわない限り、適宜変更可能である。
【００６８】
（６）上記各実施形態以外にも、コードヒータの取り付け態様は、本発明の目的を損なわない限り、適宜変更可能である。
【符号の説明】
【００６９】
１０…冷凍冷蔵庫（冷却貯蔵庫）、１１…貯蔵庫本体、２０Ａ…冷凍室（貯蔵空間、第１の貯蔵空間）、２０Ｂ…冷蔵庫（貯蔵空間、第２の貯蔵空間）、２１Ａ，２１Ｂ…左壁面（側壁面）、２２Ａ，２２Ｂ…吹出口、２５Ａ，２５Ｂ…右壁面（対向壁面）、３０Ａ…第１冷却ユニット、３０Ｂ…第２冷却ユニット、３１Ａ，３１Ｂ…冷却器、３２Ａ，３２Ｂ…冷却ファン、４０…断熱箱体、４５…開口部、４６Ａ…第１配置部（配置部）、４６Ａａ…一端部、４６Ｂ…第２配置部（配置部）４６Ｂａ…一端部、４６Ｂｂ…他端部、４７Ａ，４７Ｂ，１４７…右壁面側配置部（対向壁面側配置部）、４８…ブラケット、４８ｂ…側面、５０…枠状部、５０ｂ…裏面、５３ａ…側面部（立ち上がり部）、５３ｂ…連結部（立ち上がり部）、５６…引出口、５９…角部、６０Ａ…第１コードヒータ（コードヒータ）、６０Ｂ…第２コードヒータ（コードヒータ）、６３Ａ…線状配索部、６３Ｂｒ，１６３ｒ…右側線状配索部（線状配索部）、６３Ｂｕ，１６３ｕ…上側線状配索部（線状配索部）、６４Ａ…一端側接続配線（接続配線）、６４Ｂ…一端側接続配線（第２コードヒータ側接続配線）、７０Ａ…高密度パターン部、７０Ｂｒ，１７０ｒ…右側高密度パターン部（高密度パターン部）、７０Ｂｕ，１７０ｒ…上側高密度パターン部（高密度パターン部）、７１…保持部、７２…粘着シート、７２ａ…一方の粘着面、７２ｂ…他方の粘着面、７４…金属箔、１１０…冷蔵庫（冷却貯蔵庫）、１４６…配置部、１６０…コードヒータ
【図１】
2017122542.tif 000003
【図２】
2017122542.tif 000004
【図３】
2017122542.tif 000005
【図４】
2017122542.tif 000006
【図５】
2017122542.tif 000007
【図６】
2017122542.tif 000008
【図７】
2017122542.tif 000009
【図８】
2017122542.tif 000010
【図９】
2017122542.tif 000011
【図１０】
2017122542.tif 000012